(57)【特許請求の範囲】
【請求項１】
所定の周波数を有する制御信号をソレノイドに供給する制御装置であって、
指令信号の指令電流値と、ソレノイド特性により定められたディザ信号の基準ディザ定数を補正する補正値と、を互いに対応付けて保持する情報保持部と、
前記ソレノイドへの指令電流値を受け付けると、当該指令電流値に対応する前記補正値と前記基準ディザ定数とに基づいてディザ信号の振幅の中心レベルを当該指令電流値と一致させる補正後ディザ定数を算出し、前記補正後ディザ定数と当該指令電流値とに基づいて前記制御信号を生成する信号処理部と、
を備え、
前記信号処理部は、複数に分けられた指令範囲のうち前記指令信号の規定の上限値近傍の高電流指令範囲では、前記基準ディザ定数よりも小さい一定の前記補正後ディザ定数を算出する制御装置。
【請求項２】
前記信号処理部は、前記指令電流値を受け付けると、前記指令範囲のうち当該指令電流値に対応する該当指令範囲に応じて異なる前記補正後ディザ定数を算出することを特徴とする請求項１に記載の制御装置。
【請求項３】
前記信号処理部は、前記指令範囲のうち前記基準ディザ定数よりも小さい低電流指令範囲では、前記指令信号が大きくなるほど前記補正後ディザ定数を大きくし、かつ、前記指令電流値以下の前記補正後ディザ定数を算出することを特徴とする請求項２に記載の制御装置。
【請求項４】
前記信号処理部は、前記低電流指令範囲内の指令電流値を受け付けると、当該指令電流値と同じ又は略同じ値の前記補正後ディザ定数を算出することを特徴とする請求項３に記載の制御装置。
【請求項５】
前記信号処理部は、前記指令範囲のうち前記基準ディザ定数よりも小さい低電流指令範囲よりも大きく、かつ、前記高電流指令範囲よりも小さい指令範囲では、前記基準ディザ定数よりも大きな前記補正後ディザ定数を算出することを特徴とする請求項１〜４の何れか１項に記載の制御装置。
【発明の詳細な説明】
【技術分野】
【０００１】
本発明は、比例弁に用いられるソレノイドを制御する制御装置に関するものである。
【背景技術】
【０００２】
一般に電磁比例弁では、制御装置からの制御信号がソレノイドに供給されると、コイルに流れる電流によって、鉄心と連結された弁体、例えばプランジャーが移動して作動油の流量が制御される。しかしながら、制御装置からコイルに制御電流が供給される場合でも、プランジャーの摺接面に生じる摩擦抵抗によってはプランジャーが移動しないこともある。このようなプランジャーが移動しない制御電流の範囲は、電磁比例弁の不感帯と呼ばれる。
【０００３】
電磁比例弁の不感帯をなくすための手法として、特許文献１には、一定の周波数・振幅のディザ信号をコイルに供給する制御装置が記載されている。このような制御装置は、電磁比例弁への指令電流値を中心とする一定の振幅により、一定の周波数に応じて電流値が変化するディザ信号を生成する。なお、ディザ信号の振幅は、電磁比例弁のソレノイド特性に基づいて定められたディザ定数によって設定される。ソレノイド特性とは、プランジャーの摩擦抵抗やコイルの電流特性などに起因したプランジャーの摺動特性のことである。
【０００４】
制御装置からディザ信号が電磁比例弁へ供給されると、コイルに供給されたディザ信号によって電磁比例弁が振動してプランジャーに生じる摩擦抵抗が小さくなり、プランジャーが移動しない不感帯が狭くなる。この場合、電磁比例弁では、コイルに供給されたディザ信号の振幅の中心レベルに応じて作動油の流量が制御される。
【先行技術文献】
【特許文献】
【０００５】
【特許文献１】特公平０５−０１０５４９号
【発明の概要】
【発明が解決しようとする課題】
【０００６】
しかしながら、特許文献１に記載の制御装置は、一定の振幅のディザ信号をコイルに供給するため、指令電流値がディザ定数よりも小さいときには、コイルに供給されたディザ信号の中心レベルが指令電流値よりも高くなり、電磁比例弁を流れる作動油の流量が本来の流量よりも多くなってしまうことがある。
【０００７】
図５は、従来の制御装置により生成される一定振幅のディザ信号８１０を示す図である。
【０００８】
ディザ信号８１０は、制御装置にて指定された指令電流値８１１を中心として上限値８１０ａから下限値８１０ｂまでの振幅を有する。ディザ信号８１０は、例えば、制御装置により指令電流値Ｉｒに対してディザ定数Ｄの加算と減算とが交互に行われて生成される。
【０００９】
電流値Ｉｒが０．０Ａ（アンペア）から０．２Ａまでの範囲においては、指令電流値Ｉｒから０．２のディザ定数Ｄ（０．２Ａ相当）を減算すると、ディザ信号８１０の下限値８１０ｂは負（マイナス）の値を採ることになるが、実際には制御装置から電磁比例弁にマイナスの電流が供給されることはない。このため、下限値８１０ｂは「０」に設定されることになり、ディザ信号８１０の振幅の中心レベル８２０は、指令電流値８１１よりも大きくなってしまう。よって、制御装置から出力されたディザ信号の平均レベルは、制御装置の指令電流値よりも高くなってしまう。
【００１０】
したがって、制御装置は、ディザ定数Ｄよりも小さい指令電流値Ｉｒの範囲では、プランジャーの駆動の制御を正確に行えないため、電磁比例弁を流れる作動油の流量が本来の流量よりも多くなってしまうという問題があった。
【００１１】
本発明は、上記の問題点に鑑みてなされたものであり、ソレノイドの駆動を精度よく制御することを目的とする。
【課題を解決するための手段】
【００１２】
本発明は、所定の周波数を有する制御信号をソレノイドに供給する制御装置であって、指令信号の指令電流値と、ソレノイド特性により定められたディザ信号の基準ディザ定数を補正する補正値と、を互いに対応付けて保持する情報保持部と、前記ソレノイドへの指令電流値を受け付けると、当該指令電流値に対応する前記補正値と前記基準ディザ定数とに基づいてディザ信号の振幅の中心レベルを当該指令電流値と一致させる補正後ディザ定数を算出し、前記補正後ディザ定数と当該指令電流値とに基づいて前記制御信号を生成する信号処理部と、を備え、前記信号処理部は、複数に分けられた指令範囲のうち前記指令信号の規定の上限値近傍の高電流指令範囲では、前記基準ディザ定数よりも小さい一定の前記補正後ディザ定数を算出することを特徴とする。
【発明の効果】
【００１３】
本発明では、信号処理部が、ソレノイド特性により定められたディザ信号の補正後ディザ定数を求め、その補正後ディザ定数を用いて制御信号の振幅を補正する。これにより、制御装置は、振幅の中心レベルが指令電流値と一致した制御信号をソレノイドに供給することができ、ソレノイドの駆動を精度良く制御することができる。
【図面の簡単な説明】
【００１４】
【図１】本発明の実施形態に係る電磁比例弁の制御装置を示すブロック図である。
【図２】制御装置に保持されたディザ補正情報に関する図である。
【図３】補正処理が施されたディザ信号を示す図である。
【図４】制御装置によるディザ信号補正処理の処理手順例を示すフローチャートである。
【図５】制御装置により生成される一般的なディザ信号を示す図である。
【発明を実施するための形態】
【００１５】
以下、図面を参照して、本発明の実施形態について説明する。
【００１６】
まず、図１を参照して、本実施形態に係る制御装置１００及び電磁比例弁２００について説明する。
【００１７】
電磁比例弁２００は、コイルに流れる電流に応じて鉄心が変位するソレノイドを有し、例えば、建設機械を作動する作動油の流量を制御するものである。
【００１８】
電磁比例弁２００に用いられるソレノイドは、建設機械内の管路に流れる作動油の流量を制御する弁体であるプランジャー２１０と、プランジャー２１０を摺動方向に移動させるコイル２２０と、を備える。なお、本実施形態では、プランジャー２１０は鉄心と一体的に形成されている。
【００１９】
電磁比例弁２００では、制御装置１００から制御信号として電流がコイル２２０に供給されると、コイル２２０に流れる電流により生じる電磁誘導作用によって、鉄心としてのプランジャー２１０が摺動して作動油の流量が制御される。なお、プランジャー２１０の摺動特性（ソレノイド特性）は、プランジャー２１０が移動する際にプランジャー２１０の摺接面に生じる摩擦抵抗や、コイル２２０の電流特性などにより決まる。
【００２０】
制御装置１００は、電磁比例弁２００に流れる作動油の流量を制御するものである。制御装置１００は、作動油の流量を指定する指令信号と、プランジャー２１０の摩擦抵抗を小さくするディザ信号と、を合成して制御信号を生成する。なお、ディザ信号とは、ディザ定数により定まる振幅の範囲内で一定の周波数（以下「ディザ周波数」という）に応じて値が変化する信号のことをいう。
【００２１】
制御装置１００は、指令電流値が指定されると、電磁比例弁２００のソレノイド特性に応じてディザ定数を補正し、補正後ディザ定数により設定された振幅を有する制御信号を生成する。そして制御装置１００は、ディザ周波数に応じて電流値が変化する制御電流をコイル２２０に供給する。
【００２２】
制御装置１００は、電磁比例弁２００のソレノイド特性により定められたディザ情報を保持するディザ情報保持部１１０と、ディザ情報を用いて制御信号を生成する信号処理部１２０と、を備える。
【００２３】
ディザ情報保持部１１０は、ディザ情報として、ディザ信号のディザ周波数及びディザ定数と、ディザ定数を補正するディザ補正情報とを保持する。本実施形態では、ディザ周波数が１５０Ｈｚ（ヘルツ）であり、ディザ定数が０．２Ａ（アンペア）である。なお、ディザ情報保持部１１０に保持されたディザ定数は、基準ディザ定数ともいう。
【００２４】
また、ディザ情報保持部１１０は、ディザ補正情報として、指令信号ごとに、指令電流値と、ディザ定数を補正する補正値と、を互いに対応付けて保持する。
【００２５】
図２は、ディザ補正情報にて特定される補正特性２１１を示す図である。図２では、縦軸がディザ定数Ｄの補正値Ｃであり、横軸が指令信号の電流値Ｉｒである。なお、補正特性２１１は、電磁比例弁２００のソレノイド特性によって決定される。
【００２６】
電流値Ｉｒが０．０Ａから０．２Ａまでの低電流指令範囲では、補正特性２１１は、指令信号の電流値Ｉｒに比例して補正値Ｃが大きくなる。また、補正特性２１１は、電流値Ｉｒが０．２Ａ相当のディザ定数Ｄよりも小さいため、制御信号の中心レベルが指令電流値Ｉｒよりも高くならないように定められている。つまり、補正特性２１１は、補正後ディザ定数が指令電流値Ｉｒ以下となり、かつ、指令信号が大きくなるほど補正値Ｃが大きくなるように定められている。
【００２７】
電流値Ｉｒが０．２Ａから０．５Ａまでの指令範囲では、電磁比例弁２００の振動を大きくしてプランジャー２１０の動きを滑らかにするために、基準値１．０よりも高い補正値Ｃが定められている。上述の低電流指令範囲ではプランジャー２１０に十分な振動を与えられないので、０．２Ａから０．３Ａまでの範囲で、指令信号に応じて基準値１．０よりも補正値Ｃを大きくする。そして０．３Ａから０．５Ａまでの範囲では、電磁比例弁２００に過大な振動を与えることを防ぐために、指令信号に応じて補正値Ｃを小さくする。
【００２８】
電流値Ｉｒが０．５Ａよりも大きい指令範囲では、指令信号が、電磁比例弁２００の規格により定められた上限値に近づくので、プランジャー２１０の可動範囲を広げるために、補正特性２１１は、基準値１．０よりも低い値に定められている。電流値Ｉｒが０．５Ａから０．６Ａまでの範囲では、プランジャー２１０の摩擦抵抗を抑えることが可能な範囲内の下限値０．７５まで補正値Ｃを小さくする。電流値Ｉｒが０．６Ａよりも大きい高電流指令範囲では、補正特性２１１は常に下限値０．７５となるように定められている。
【００２９】
このように、ディザ補正情報は、プランジャー２１０の摺動特性に合わせて指令範囲が分けられ、その指令範囲ごとにソレノイド特性に応じた補正値Ｃが設定されている。
【００３０】
なお、信号処理部１２０で線形補間処理を行うようにすれば、ディザ情報保持部１１０に記録されるディザ補正情報の情報量を削減することができる。この場合、ディザ情報保持部１１０には、補正特性２１１の原点及び頂点を示すディザ補正情報だけが記憶される。つまり、電流値０Ａと補正値０とが対応付けられ、電流値０．３Ａと補正値１．５とが対応付けられ、電流値０．６Ａと補正値０．７５とが対応付けられたディザ補正情報が、あらかじめディザ情報保持部１１０に記憶される。
【００３１】
図１に戻り、信号処理部１２０は、電磁比例弁２００のソレノイド特性により定められた補正値を用いて制御信号の振幅を設定するものである。
【００３２】
信号処理部１２０は、運転者の操作に応じて建設機械の動作を制御するメインコントローラ（不図示）から指令線１２１を介して、作動油の流量が指定された指令電流値を受け付ける。
【００３３】
信号処理部１２０は、指令電流値を受け付けると、ディザ情報保持部１１０を参照し、指令電流値に対応付けられた補正値を抽出する。あるいは、信号処理部１２０は、ディザ補正情報を用いて指令電流値とディザ定数の補正値との対応関係を表わす線形補間式を求め、その線形補間式により指令電流値に対応する補正値を算出する。
【００３４】
信号処理部１２０は、ディザ補正情報から指令電流値に対応する補正値を求めると、ディザ情報保持部１１０からディザ定数を取得し、ディザ定数と補正値とに基づいてディザ信号の振幅の中心レベルを指令電流値と一致させる補正後ディザ定数を算出する。具体的には信号処理部１２０は、指令電流値に対応する補正値をディザ定数に乗算した乗算値を補正後ディザ定数として算出する。
【００３５】
信号処理部１２０は、補正後ディザ定数と指令電流値とに基づいて制御信号を生成する。具体的には信号処理部１２０は、ディザ情報保持部１１０からディザ周波数を取得し、そのディザ周波数ごとに、指令電流値に対して補正後ディザ定数の加算と減算とを交互に行う。
【００３６】
信号処理部１２０は、ディザ周波数ごとに算出した電流値の制御電流をコイル２２０に供給することにより、ディザ周波数の２分の１の周波数で、補正後ディザ定数の２倍の振幅の制御信号がコイル２２０に生じ、制御信号によってプランジャー２１０が駆動する。
【００３７】
すなわち、信号処理部１２０は、ディザ信号のディザ定数と補正値とに基づいて補正された補正後ディザ定数を求め、ディザ信号の補正後ディザ定数により定まる振幅の範囲内で指令電流値を中心としてディザ周波数に応じて電流値が変化する制御電流を電磁比例弁２００に供給する。
【００３８】
図３は、信号処理部１２０により生成される制御信号３１０を示す図である。図３には、制御信号３１０とともに、図５で示したディザ信号８１０が示されている。ディザ信号８１０は、ディザ定数Ｄによって上限値８１０ａから下限値８１０ｂまでの振幅が設定された信号である。
【００３９】
図３では、信号処理部１２０が、指令電流値Ｉｒを受け付けると、ディザ情報保持部１１０に保持されたディザ補正情報に基づいて指令電流値Ｉｒに対応する補正値を求め、その補正値とディザ定数Ｄと乗算してディザ信号の補正後ディザ定数Ｄｃを算出する。そして信号処理部１２０は、指令電流値３１１に対して補正後ディザ定数Ｄｃの加算と減算とを交互に行うことにより、上限値３１０ａから下限値３１０ｂまでの補正後の振幅を有する制御信号３１０を生成する。
【００４０】
制御信号３１０では、図５で示したディザ信号８１０の中心レベル８２０と異なり、制御信号３１０の中心レベルが指令電流値３１１と一致していることが分かる。
【００４１】
指令電流値Ｉｒが０．０Ａから０．２Ａの低電流指令範囲では、信号処理部１２０は、指令信号が大きくなるほど補正ディザ定数Ｄｃを大きくし、かつ、指令電流値Ｉｒ以下の補正後ディザ定数Ｄｃを算出する。
【００４２】
これにより、コイル２２０に供給された制御信号３１０の中心レベルが、指令電流値よりも高くなることを防ぐことができる。したがって、制御装置１００は、指令電流値Ｉｒで指定された作動油の流量よりも、電磁比例弁２００で制御される作動油の流量が多くなることを回避することができる。
【００４３】
本実施形態では、信号処理部１２０は、低電流指令範囲において指令電流値Ｉｒと同じ又は略同じ値の補正後ディザ定数を算出する。これにより、制御信号３１０の振幅は、制御信号３１０の中心レベルが指令電流値を超えない範囲で大きな値に設定されることになるので、電磁比例弁２００を可能な範囲で大きく振動させ、プランジャー２１０に生じる摩擦抵抗を極力低減させることができる。
【００４４】
また、指令電流値Ｉｒが０．２Ａから０．５Ａまでの指令範囲では、信号処理部１２０は、ディザ定数Ｄよりも補正ディザ定数Ｄｃを大きくする。これにより、制御信号３１０の振幅が大きくなり、電磁比例弁２００に大きな振動を与えることができる。よって、低電流指令範囲において制御信号３１０の振幅が基準ディザ定数Ｄ以下に制限されたためにプランジャー２１０の摩擦抵抗を十分に抑えられなかった分を補うことが可能となり、プランジャー２１０の動きを滑らかにすることができる。
【００４５】
具体的には、指令電流値Ｉｒが０．２Ａから０．３Ａまでの指令範囲では、信号処理部１２０は、指令信号の指令電流値Ｉｒが大きくなるほど、大きな値の補正後ディザ定数Ｄｃを算出する。これにより、電磁比例弁２００に与える振動を大きくし、プランジャー２１０に生じる摩擦抵抗を十分に低くすることができる。
【００４６】
そして指令電流値Ｉｒが０．３Ａから０．５Ａまでの指令範囲では、信号処理部１２０は、指令信号の指令電流値Ｉｒが大きくなるほど、補正後ディザ定数Ｄｃをディザ定数Ｄまで小さくする。これにより、制御装置１００は、電磁比例弁２００に過剰な振動を与えることなく、プランジャー２１０を滑らかに駆動することができる。
【００４７】
また、指令電流値Ｉｒが０．５Ａよりも大きい指令範囲では、信号処理部１２０は、ディザ定数Ｄよりも小さい補正後ディザ定数Ｄｃを算出する。これにより、制御装置１００は、電磁比例弁２００の規格により定められた制御信号の上限値に近づくと、制御信号の振幅を小さくし、プランジャー２１０の駆動可能な範囲を広げることが可能となる。
【００４８】
具体的には、指令電流値Ｉｒが０．５Ａから０．６Ａまでの指令範囲では、信号処理部１２０は、指令信号の指令電流値Ｉｒが大きくなるほど、プランジャー２１０の摩擦抵抗を低下させることが可能な下限値まで補正後ディザ定数Ｄｃを小さくする。
【００４９】
そして指令電流値Ｉｒが０．６Ａよりも大きい高電流指令範囲では、信号処理部１２０は、ディザ定数Ｄよりも小さい補正後ディザ定数Ｄｃを算出する。これにより、制御装置１００は、制御信号の振幅を一定に維持しつつ電磁比例弁２００の制御可能な範囲を広げることができる。
【００５０】
このように、信号処理部１２０は、複数の目的に合わせて補正後ディザ定数を算出し、その補正後ディザ定数を用いて、指令範囲全体として振幅の中心レベルが指令電流値と一致する制御信号を生成することができる。これにより、制御装置１００は、電磁比例弁２００に流れる作動油の流量と指令電流値との関係が線形となるようにプランジャー２１０を駆動することができるようになる。
【００５１】
図４は、制御装置１００によるディザ信号補正処理の処理手順例を示すフローチャートである。ディザ情報保持部１１０には、ソレノイド特性により定められたディザ周波数１５０Ｈｚと、ディザ定数Ｄと、指令電流値Ｉｒごとの補正値Ｃとが記録されている。
【００５２】
信号処理部１２０は、例えばメインコントローラから、作動油の流量が指定された指令電流値Ｉｒを受け付けると、ディザ情報保持部１１０から、その指令電流値に対応する該当補正値Ｃを取得する（ステップＳ９０１）。さらに信号処理部１２０は、ディザ情報保持部１１０からディザ周波数１５０Ｈｚとディザ定数Ｄとをそれぞれ取得する。
【００５３】
そして信号処理部１２０は、ディザ定数Ｄに対して該当補正値Ｃを乗算した補正後ディザ定数Ｄｃを算出する（ステップＳ９０２）。その後、信号処理部１２０は、ディザ情報保持部１１０から取得したディザ周波数１５０Ｈｚごと、すなわち６．６７（＝１０００／１５０）ｍｓ（milli second）間隔で、補正後ディザ定数Ｄｃに対して正符号「＋」と負符号「−」とを交互に付与する（ステップＳ９０３）。
【００５４】
その後、信号処理部１２０は、補正後ディザ定数Ｄｃの符号が正符号から負符号に反転したか否かを判断する（ステップＳ９０４）。そして信号処理部１２０は、補正後ディザ定数Ｄｃの符号が負符号から正符号に反転した場合には、指令電流値Ｉｒに補正後ディザ定数Ｄｃを加算した加算値（Ｉｒ＋Ｄｃ）をディザ信号の上限値Ｉｒとして算出する（ステップＳ９０５）。
【００５５】
一方、信号処理部１２０は、補正後ディザ定数Ｄｃの符号が正符号から負符号に反転した場合には、指令電流値Ｉｒから補正後ディザ定数Ｄｃを減算した減算値（Ｉｒ−Ｄｃ）をディザ信号の下限値Ｉｒとして算出する（ステップＳ９０６）。
【００５６】
このように、信号処理部１２０は、ディザ周波数１５０Ｈｚごとに、ディザ信号の上限値Ｉｒの電流と、下限値Ｉｒの電流と、を交互にコイル２２０に供給する。これにより、周波数７５Ｈｚで、補正後ディザ定数Ｄｃにより定まる振幅（Ｄｃ×２）のディザ信号がコイル２２０に供給され、ディザ信号補正処理が終了する。
【００５７】
以上の実施形態によれば、以下に示す効果を奏する。
【００５８】
制御装置１００では、信号処理部１２０が、指令電流値を受け付けると、ソレノイド特性により定められたディザ信号の補正値を用いて、振幅の中心レベルが指令電流値と一致するように制御信号を生成する。
【００５９】
このため、振幅の中心レベルが指令電流値と一致した制御信号が電磁比例弁２００に供給されることになるので、制御装置１００は、プランジャー２１０の駆動を精度良く制御することができる。したがって、制御装置１００は、プランジャー２１０に生じる摩擦抵抗に起因する不感帯を狭くしつつ、電磁比例弁２００に流れる作動油の流量を精度良く制御することが可能となる。
【００６０】
本実施形態では、複数の目的により分けられた指令範囲ごとに、指令電流値と補正値との関係を示す補正情報がディザ情報保持部１１０に保持されている。そして信号処理部１２０は、指令線１２１から指令電流値Ｉｒを受け付けると、複数の指令範囲のうちその指令電流値Ｉｒに対応する該当指令範囲の補正情報を用いて補正後ディザ定数Ｄｃを算出する。
【００６１】
これにより、信号処理部１２０は、ソレノイド特性によって指令範囲ごとに補正値の特性が変わる場合でも、指令電流値の該当指令範囲の特性に応じて異なる補正後ディザ定数Ｄｃを算出することができる。よって、制御装置１００は、複数の目的に合わせて制御信号の振幅を補正することができる。
【００６２】
例えば、複数の指令範囲のうちディザ定数Ｄよりも小さい低電流指令範囲では、信号処理部１２０は、指令電流値Ｉｒよりも小さい補正後ディザ定数Ｄｃを算出し、かつ、指令信号が大きくなるほど補正後ディザ定数Ｄｃを大きくする。
【００６３】
これにより、図５で示したディザ信号８１０と異なり、制御装置１００から出力された制御信号の中心レベルが指令電流値よりも高くなることがないので、制御装置１００は、低電流指令範囲において、プランジャー２１０を精度よく駆動することができる。
【００６４】
なお、信号処理部１２０は、低電流指令範囲において指令電流値Ｉｒと補正後ディザ定数が常に同じ又は略同じ値となるように補正後ディザ定数Ｄｃを算出してもよい。これにより、制御信号の振幅は、制御信号の中心レベルが指令電流値を超えない範囲で大きな値に設定されるので、電磁比例弁２００を可能な範囲で大きく振動させ、プランジャー２１０に生じる摩擦抵抗を低減させることができる。したがって制御装置１００は、摩擦抵抗によりプランジャー２１０が移動しなくなることを防止しつつ、プランジャー２１０の駆動を精度よく制御することができる。
【００６５】
また、電磁比例弁２００により規定された制御信号の上限値近傍の高電流指令範囲では、信号処理部１２０は、基準ディザ定数Ｄよりも小さい一定の補正後ディザ定数Ｄｃを算出する。これにより、制御装置１００は、電磁比例弁２００の制御可能な範囲を大きくすることができる。
【００６６】
また、低電流指令範囲よりも大きく、かつ、高電流指令範囲よりも小さい指令範囲では、信号処理部１２０は、ディザ定数Ｄよりも大きな補正後ディザ定数Ｄｃを算出する。
【００６７】
これにより、低電流指令範囲において制御信号３１０の振幅が基準ディザ定数Ｄ以下に制限されたためにプランジャー２１０の摩擦抵抗を十分に抑えられなかった分を補うことが可能となり、プランジャー２１０の動きを滑らかにすることができる。
【００６８】
本発明は上記の実施の形態に限定されずに、その技術的な思想の範囲内において種々の変更がなしうることは明白である。
【符号の説明】
【００６９】
１００  制御装置
１１０  ディザ情報保持部
１２０  信号処理部
２００  電磁比例弁
【図１】
0006002412.tif 000002
【図２】
0006002412.tif 000003
【図３】
0006002412.tif 000004
【図４】
0006002412.tif 000005
【図５】
0006002412.tif 000006